(57)【要約】【課題】画像読取装置に対して側部読取装置を組み合わせ、走査装置の機構を用いてフィルムのような透過原稿の読取りを行って、プラテンにセットした一般の原稿と同様に、画像情報を得ることを可能にする。【解決手段】ＦＢＳ機能とＡＤＦ１０とを組み合わせた画像読取装置１に対して、装置フレームの側部に側部読取装置２０を配置し、フィルムのような原稿取扱い装置２３を用いて、背後からランプ２２の光を照射し、光路２４を通してレンズ８によりＣＣＤ９に結像して、画像の情報デジタル信号として得る。前記光路２４をキャリッジ７が遮断しないように、キャリッジ７を移動させること、またはミラーｍ３を揺動させる手段を設けて、透過原稿の読取りを行い得るようにする。【選択図】          図１
2004228641.tif 000002
【特許請求の範囲】
【請求項１】
原稿をセットしたプラテンの下面に沿わせて読取装置を往復移動させ、原稿の画像の読取りを行う画像読取装置であって、
前記読取装置を光路から退避可能に設け、
装置の側面から読取り可能な読取部を設けたことを特徴とする画像読取装置。
【請求項２】
前記装置側面に設けた読取部には、透過原稿ユニットを着脱可能に備えることを特徴とする請求項１に記載の画像読取装置。
【請求項３】
前記装置側面に設けた読取部には、原稿を移動させて走査する手段を設けたことを特徴とする請求項１または２に記載の画像読取装置。
【発明の詳細な説明】
【０００１】
【発明の属する技術分野】
本発明は、プラテンの下面に沿わせて走査部材を移動させて画像の読取りを行う装置に対して、装置フレームの側面に読取部を設けて、フィルム等の画像を直接読取りできるようにする画像読取装置に関する。
【０００２】
【従来の技術】
複写機やファクシミリ装置（ＦＡＸ）等の画像形成装置に設ける画像読取装置においては、ＦＢＳ（フラットベッドスキャナ）を用いて読み取る手段と、ＡＤＦ（自動原稿送り装置）のように、原稿を搬送しながら、固定位置に設けた走査装置により読み取る手段とを組み合わせて構成しているものが多く用いられる。前記ＡＤＦまたはＦＢＳを設けた画像読取装置においては、前記２種類の読取装置に対応させて、プラテンをそれぞれ配置しており、ブックものの原稿をＦＢＳに対応させた大プラテンにセットし、シートものの原稿をＡＤＦを用いて搬送しながら、小プラテンの部分で読み取るような手段が用いられる。（例えば、特許文献１を参照）。
【０００３】
【発明が解決しようとする課題】
ところが、前記画像読取装置を用いる場合には、プラテンにセット可能なシートものの原稿の画像の読取りは容易に行い得るものの、フィルム等のような透過原稿の走査を行うことができないものである。特に、写真フィルムのような小サイズの画像情報を担持する媒体を原稿として用い、拡大したカラーコピーを作成する等の、特殊な需要に対処することができない。そこで、前記フィルムのような透過原稿の画像を読み取って、画像情報を処理するために、プラテンカバー部分に対して、原稿の背後から光を照射するためのランプ等を配置し、読取装置のランプを作動させない状態で、フィルム画像の読取りを行うことも考えられている。しかしながら、プラテンカバーの部分に対して、原稿の背面から光を照射するためのランプ等を配置することは、本来の画像読取装置が有している機能を使用する際の邪魔になるものである。また、前記特殊な原稿を使用して画像情報を得る作業は、通常のＦＢＳやＡＤＦ機能を用いる場合に比較して、その使用頻度が少ないものとも考えられていることから、より構造が簡単で容易に使用可能な装置の開発が望まれているのが現状である。
【０００４】
本発明は、読取装置のフレームの側部に前記小サイズの透過原稿をセットする読取部を設け、走査装置により読取りを行い得る画像読取装置を提供することを目的としている。
【０００５】
【課題を解決するための手段】
本発明は、原稿をセットしたプラテンの下面に沿わせて読取装置を往復移動させ、原稿の画像の読取りを行う画像読取装置に関する。請求項１の発明は、前記読取装置を光路から退避可能に設け、装置の側面から読取り可能な読取部を設けたことを特徴とする。
【０００６】
請求項２の発明は、前記装置側面に設けた読取部には、透過原稿ユニットを着脱可能に備えることを特徴とする。
【０００７】
請求項３の発明は、前記装置側面に設けた読取部には、原稿を移動させて走査する手段を設けたことを特徴とする。
【０００８】
前述したように構成したことにより、従来より用いられている画像読取装置の走査機構に対して、小型の読取装置を追加装備することで、画像読取装置の用途を拡大することができる。そして、フィルムのような透過原稿を使用して、画像読取装置の画像処理ソフトを用いて任意のサイズに縮小・拡大した画像情報を容易に得ることが可能となり、そのような追加機構を装備した場合でも、走査装置の機構を若干修正するのみで対処が可能である。また、前記透過原稿の読取装置を用いても、シートものの原稿等の場合と同様な、画質の良好な記録紙を作成することが可能となる。
【０００９】
【発明の実施の形態】
図示される例にしたがって、本発明の装置の構成を説明するが、ＡＤＦにおいて原稿を搬送する画像読取装置について説明する。本実施例に示す画像読取装置は、後述するように、用紙を記録部に向けて給紙する画像読取装置としても、そのまま適用が可能なものである。図１に示す例は、複写機やファクシミリ装置、またはその両機能を複合した画像形成装置に組み合わせて用いることが可能な装置として構成される画像読取装置１を示している。前記画像読取装置１には、読取フレーム２の上部に大プラテン３と小プラテン３ａとを配置しており、前記大プラテン３の上部には後述するように、開閉部材としてのプラテンカバーを兼ねた排出トレイ１２を配置している。そして、その下面に設けた弾性体１２ａとが、プラテン３上にセットした原稿を押圧させ、ＦＢＳ（フラットベッドスキャナ）としての機能を持たせている。また、自動原稿搬送装置（ＡＤＦ）機能に対応させた小プラテン３ａを用いて、ＡＤＦにより一定の速度で搬送されるシート原稿の読取りを行うようにする。
【００１０】
前記画像読取装置１においては、従来公知の装置と同様に、装置フレーム２の内部で、図示を省略した案内手段を介して読取装置を移動可能に設けており、原稿の画像面に光を照射するランプ６ａと１つのミラーｍ１とを設けたフルレートキャリッジ６と、２つのミラーｍ２、ｍ３を設けたハーフレートキャリッジ７とを組み合わせて設けている。そして、前記原稿に照射した光を複数のミラーにより反射させて、ＣＣＤ９に結像させるレンズ８を設けており、前記レンズ８とＣＣＤ９は装置フレーム２の固定位置に配置している。前記２つのキャリッジ６、７は、１つの駆動軸に設けた大小の駆動プーリ４、４ａに巻きかけたワイヤ５、５ａのような駆動部材により駆動されるもので、前記駆動プーリ４と４ａの直径の比率を１：２として構成することで、ハーフレートキャリッジ７をフルレートキャリッジ６に対して１／２の速度で同期駆動するようにしている。
【００１１】
前記２つのキャリッジ６、７を組み合わせて構成する読取装置において、プラテン３上にセットして弾性体１２ａにより押圧して、プラテン３に原稿の画像面を位置決めした原稿に対して、ランプ６ａから光を照射し、その原稿の画像面の反射光をミラーｍ１に反射させ、ハーフレートキャリッジ７の２つのミラーｍ２，ｍ３を介して折り返すようにして、レンズ８によりＣＣＤ９に結像させて、光信号を電気信号に変換する。そして、前記ＣＣＤ９では、光信号をデジタル信号として変換して、画像記録部に向けて伝達し、電子写真方式を用いて記録紙を作成することができる。また、前記画像読取装置１をファクシミリ装置に組み合わせて設ける場合には、電話回線を通して読取り情報を、遠隔地のファクシミリ装置に向けて伝達することも、従来の装置の場合と同様になされる。
【００１２】
前記排出トレイ１２を設けた開閉部材と一体に、画像読取装置のフレーム２に対して開閉（揺動）自在に設けられるＡＤＦ１０は、従来公知のＡＤＦ（自動原稿搬送装置）の場合と同様に、横向きの略Ｕ字状に構成した原稿搬送路１３を設けており、原稿トレイ１１と排出トレイ１２の間を接続している。前記原稿搬送路１３は従来例と同様に、ガイド板により区画されているもので、原稿搬送路１３の所定の位置に設けられた搬送ローラ装置１４、１４ａ、１４ｂにより原稿を搬送し、小プラテン３ａによる読取部を一定の速度で搬送する。そして、走査が終了した原稿は、排出ローラ装置１８により排出トレイ１２に排出される。
【００１３】
前記原稿搬送路１３の入り口部分には、原稿トレイ１１に続く原稿挿入部に配置したピックアップローラ１５と、その下流部に配置する用紙さばき装置１６により構成している。前記用紙さばき装置１６はフィードローラ１６ａとリタードローラ１６ｂとを対向させて配置し、フィードローラ１６ａにより給紙方向に送られる原稿に対して、リタードローラ１６ｂが逆方向に回転されて、２枚以上の原稿がピックアップローラ１５により重送状態で取り込まれた際に、前記用紙さばき装置１６のニップ部に入り込んだ上の原稿のみを原稿搬送路１３に向けて送り出して、重なっている下の原稿を原稿トレイ１１側に戻す作用を行う。また、前記画像読取装置１５において、原稿トレイ１１から原稿を取り出す際に、フィードローラ１６ａが回転されることに追従して、ピックアップローラ１５を図の実線位置から鎖線で示す位置に向けて揺動させ、ピックアップローラ１５を原稿に押圧しながら回転させて、原稿を用紙さばき装置１６に向けて搬送する。
【００１４】
前述したように構成した画像読取装置１において、走査フレーム２の側部２ａには、透過原稿のような特別の原稿を読み取るための側部読取装置２０を配置しており、前記側部フレーム２ａに対して、ガラスを設けた側部窓２１を介して、原稿扱い装置２３を設けている。前記原稿扱い装置２３にセットする原稿を背面から照射するために、ランプ２２を配置して、原稿を透過させた光を走査装置のレンズ８によりＣＣＤ９に結像させるように、その光路２４を設定している。なお、前記側部読取装置２０を使用する際に、走査装置における光路２４には、ハーフレートキャリッジ７のミラーｍ２、ｍ３が位置しているので、それ等の２つのミラーのいずれかが、側部読取装置２０とレンズとを結ぶ光路２４を遮断するという問題が発生する。
【００１５】
図２に示す例は、前記側部読取装置２０を用いてフィルムのような透過原稿を走査する場合に、前記ハーフレートキャリッジ７のミラーｍ２、ｍ３が、光路２４を遮断しないように退避させる手段を説明している。前記走査フレーム２の内部で２つのキャリッジ６、７を案内するガイドレール３０に対して、フレームの側部２ａに近接する部分を、所定の範囲に段違い部を折り曲げて構成し、前記レール下降部３１にハーフレートキャリッジ７を移動させた状態で、ミラーｍ３を光路２４から退避させるようにする。前記ガイドレール３０に設ける段違い部３１は、前記ＦＢＳやＡＤＦ機能に対応させて２つのキャリッジ６、７を移動させる範囲から外れた位置に設けておくことで、通常の読取りの動作に支障が生じないようにすることができ、図の仮想線で示すハーフレートキャリッジ７の読取り位置では、画像読取装置に設けた選択スイッチ（図示を省略）を、特殊機能に対応させて選択した場合にのみ、前記ハーフレートキャリッジ７を側部読取装置に対応させた位置に停止させるようにすれば良い。
【００１６】
前記側部読取装置２０には、フレームの側部窓２１に対応させて、読取部２５と背後のランプ２２とを、光路２４に対応させた位置に配置しており、前記読取部２５に対して原稿を案内しながら、ＣＣＤ９に結像させて画像信号を得るようにする。また、前記読取部２５に原稿を案内するために、前記読取部２５の上下には、搬送ローラ装置２６、２７を配置し、原稿を定速で移動させながら読取りを行い、走査が終了した原稿は、原稿トレイ２８に排出させるようにしている。なお、前記原稿としては、フィルム等の透過原稿を用いることができるものであり、写真フィルム等の小サイズの原稿を読み込んで、その画像情報を拡大した記録紙を作成する場合等には特に有効に利用可能となる。また、ＯＨＰフィルム等を原稿として用いることも可能であり、そのような大サイズの透過原稿を用いる場合にも、任意の縮拡率を画像読取装置の制御装置での処理プログラムに設定すること等により、所望のサイズの記録紙を作成することができる。
【００１７】
図３に示す例は、前記図２とは異なり、ハーフレートキャリッジ７を光路２４を遮断する位置から退避させずに、ミラーｍ３のみを揺動させて、側部読取装置２０とＣＣＤ９との間での光路２４を確保できるようにする例を説明している。この実施例では、ハーフレートキャリッジ７のフレーム７ａに支持される２つのミラーｍ２、ｍ３のうち、ミラーｍ３をソレノイド３６のような駆動手段を配置して、軸３５を中心にして揺動させる機構を設けている。そして、前記ミラーｍ３が光路を遮断しない位置に退避させることで、側部読取装置２０を使用した読取りの動作に容易に対処できるようにする。
【００１８】
前記ミラーｍ３を揺動させるための駆動手段としては、任意の構成の部材を使用することが可能であり、例えば、図４に示すように、ミラーｍ３を支軸３５を中心にして揺動可能に設けておき、ハーフレートキャリッジ７を所定の位置にまで移動させる部分に、アーム等のような押圧部材３８を設けて構成することもできる。そして、ミラーｍ３に設けた被駆動部材３７を、前記押圧部材３８に当接させることにより、ミラーｍ３を揺動させて、光路２４を遮断しない位置にまで退避させ、側部読取装置２０を用いた読取りの動作に、容易に対処させるように構成することも可能である。
【００１９】
また、前記図２、４に示されるように、ハーフレートキャリッジ７を、ＡＤＦに対応させた読取り位置を越えて移動させる機構を必要とする場合には、例えば、側部読取装置２０による走査モードを設定したときに、駆動装置を前記ミラーやキャリッジが光路から外される位置まで、追加駆動するモードを制御装置に設定しておくことで、対処させても良い。なお、前記キャリッジのフレームや、ミラーを光路から退避させる手段としては、前記各実施例に説明した機構の他に、キャリッジの構造とミラーの支持機構に対応させた、任意の退避手段を用いることも可能である。
【００２０】
前述したように構成してなる画像読取装置において、フィルムのような透過原稿を用いる場合に、カラー走査が可能な走査装置と、カラー複写機とを組み合わせた画像形成装置では、ポジフィルムを用いて、カラー画像を容易に再現することができる。また、ネガフィルムを用いて、カラーコピーを行う場合には、走査画像の情報を反転させて再現するような、画像処理のソフトを制御装置に設定することが必要となるが、前述したような画像処理ソフトを用いることで、画像読取装置の用途を拡大することができる。
【００２１】
なお、前記画像読取装置において、走査フレームの側部に、側部読取り装置を付加することにより、装置の巾が若干大きくなるが、前記読取装置を原稿として使用可能なフィルムに対応させて、小型に構成することで、写真のプリント装置に比較して、使用性の良好な画像形成装置としても用いることが可能になる。さらに、前記側部読取装置により得られる画像を、パソコンに対する画像情報として用いることや、ファクシミリ装置での送信のデータとして用いて、文章と組み合わせて送信する等の、任意の画像の加工を行うことができる。そして、前記画像読取装置を画像記録装置に組み合わせて用いる場合にも、読取り可能な原稿の種類を多くすることが可能となり、画像形成装置の用途を拡大することも可能になる。
【００２２】
【発明の効果】
前述したように構成したことにより、従来より用いられている画像読取装置の走査機構に対して、小型の読取装置を追加装備することで、画像読取装置の用途を拡大することができる。そして、フィルムのような透過原稿を使用して、画像読取装置の画像処理ソフトを用いて任意のサイズに縮小・拡大した画像情報を容易に得ることが可能となり、そのような追加機構を装備した場合でも、走査装置の機構を若干修正するのみで対処が可能である。また、前記透過原稿の読取装置を用いても、シートものの原稿等の場合と同様な、画質の良好な記録紙を作成することが可能となる。
【図面の簡単な説明】
【図１】画像読取装置の構成を示す説明図である。
【図２】側部読取装置に対応させてハーフレートキャリッジを案内する機構の説明図である。
【図３】側部読取装置に対応させてミラーを揺動させる機構の説明図である。
【図４】ミラーを揺動させる機構の別の実施例の説明図である。
【符号の説明】
１    画像読取装置、  ２    装置フレーム、  ３    プラテン、
４    駆動プーリ、  ５    駆動ワイヤ、  ６    フルレートキャリッジ、
７    ハーフレートキャリッジ、  ８    レンズ、  ９    ＣＣＤ、
１０    ＡＤＦ、  １１    原稿トレイ、  １２    排出トレイ、
１３    原稿搬送路、  １４    搬送ローラ装置、
１５    ピックアップローラ、  １６    用紙さばき装置、
１６ａ    フィードローラ、  １６ｂ    リタードローラ、
１７    排出ローラ装置、  ２０    側部読取装置、  ２１    側部窓、
２２    ランプ、  ２３    原稿扱い装置、  ２４    光路、
２５    読取部、  ２６    搬送ローラ装置、  ２７    排出トレイ、
２９    モータ、  ３０    ガイドレール、  ３１    段違い部、
３５    ミラー軸、  ３６    駆動手段、  ３７    被作動部材、
３８    押圧部材。
【図１】
2004228641.tif 000003
【図２】
2004228641.tif 000004
【図３】
2004228641.tif 000005
【図４】
2004228641.tif 000006